【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
ばらけた材料の選択された量を分配するように作動可能なバルク材料分配装置(２０)であって、
前記ばらけた材料が分配される容器の配置に適した容器位置を定め、前記容器位置の上方に配置された出口開口を備える外側筺体と、
前記ばらけた材料を保管する密封筺体(４０)と、
前記外側筺体に取り付けられたユーザーインターフェース(８１)と、
前記ユーザーインターフェース(８１)を介して、分配されるばらけた材料の所望の量を特定する使用者選択肢を受け取る電子制御機器(８０)と、
前記密封筺体(４０)の下方かつ前記出口開口の上方に配置された測定機構(５０)と
を備え、
前記測定機構(５０)は、
計量器(６４)に取り付けられた箱(６２)であって、前記箱(６２)に現在収容される前記材料の重量を前記電子制御機器(８０)に提供し、前記電子制御機器(８０)による作動によって、前記箱(６２)内に収容される前記材料を、前記出口開口を通じて放出する箱(６２)と、
前記密封筺体(４０)の内部と密封流体連通する入口、および、前記箱(６２)内部へと材料を分配するように配置された出口を備える材料通路部(５２)と、
前記電子制御機器(８０)に接続されたモータ(５７)によって動力を供給され、前記材料通路部(５２)内に配置されて前記箱(６２)に前記材料を制御可能に分配する回転可能ねじ(５６)と、
前記回転可能ねじ(５６)が作動していないときに前記材料通路部(５２)の前記出口を機械的に密封するように適合された密封蓋(５５)とを備えるバルク材料分配装置(２０)。
【請求項２】
前記密封筺体(４０)は密閉されて密封される、請求項１に記載のバルク材料分配装置(２０)。
【請求項３】
前記材料通路部(５２)は屈曲形状を有する、請求項１に記載のバルク材料分配装置(２０)。
【請求項４】
前記電子制御機器(８０)および前記測定機構(５０)は、前記外側筺体の内部に配置される、請求項２に記載のバルク材料分配装置(２０)。
【請求項５】
前記密封筺体(４０)は、前記材料通路部(５２)の作動の少なくとも一部の間に作動する撹拌機を備える、請求項４に記載のバルク材料分配装置(２０)。
【請求項６】
前記ばらけた材料は茶葉である、請求項１に記載のバルク材料分配装置(２０)。
【請求項７】
前記ユーザーインターフェース(８１)は準備される茶の量を定める調整を可能とする、請求項６に記載のバルク材料分配装置(２０)。
【請求項８】
前記ユーザーインターフェース(８１)は、分配される茶の種類の使用者による選択を可能とし、かつ、２つの選択された茶の種類の各々と関連して準備される茶の選択された量のための２つの異なる重量を保存する、請求項７に記載のバルク材料分配装置(２０)。
【請求項９】
ばらけた茶の使用者により選択された量を、分配装置(２０)を用いて分配する方法であって、
前記分配装置(２０)に配置されたユーザーインターフェース(８１)を介して、茶の所望の量を特定する第１の使用者入力を受け取るステップと、
前記ユーザーインターフェース(８１)を介して、茶の前記所望の量を所定の量だけ上方または下方に調整する第２の使用者入力を受け取るステップと、
計量器(６４)に取り付けられた箱(６２)を有する計量器(６４)から重量を受け取るステップと、
前記計量器(６４)から受け取られた前記重量が前記所望の量以上となるまで、密封コンテナ（４０）から前記箱(６２)へと茶を移動するステップと、
前記密封コンテナ（４０）にある前記茶を外部の空気から密封するステップと、
前記箱(６２)から前記分配装置(２０)にある出口開口を通じて前記茶を分配するステップとを含む方法。
【請求項１０】
前記第２の使用者入力は、より濃いまたはより薄い茶を提供する、請求項９に記載の方法。
【請求項１１】
前記第２の使用者入力は、上方または下方へと望まれた茶の量を調整する、請求項９に記載の方法。
【請求項１２】
前記移動するステップの後に前記密封コンテナ（４０）を再び密封するステップをさらに含む、請求項９に記載の方法。
【請求項１３】
ばらけた材料の選択された量を分配するように作動可能なバルク材料分配装置(２０)であって、
前記ばらけた材料が分配される容器の配置に適した容器位置を定め、前記容器位置の上方に配置された出口開口を備える外側筺体と、
前記ばらけた材料を保管する筺体と、
前記外側筺体に取り付けられたユーザーインターフェース(８１)と、
前記ユーザーインターフェース(８１)を介して、分配されるばらけた材料の所望の量を特定する使用者選択肢を受け取る電子制御機器(８０)と、
前記密封筺体(４０)の下方かつ前記出口開口の上方に配置された測定機構(５０)と
を備え、
前記測定機構(５０)は、
計量器(６４)に取り付けられた箱(６２)であって、前記箱(６２)に現在収容される前記材料の重量を前記電子制御機器(８０)に提供し、前記電子制御機器(８０)による作動によって、前記箱(６２)内に収容される前記材料を、前記出口開口を通じて放出する箱(６２)と、
前記筺体と流体連通し、前記電子制御機器(８０)によって作動されたときに、ばらけた材料を前記筺体から分配するように適合された制御出口(５２)と、
前記電子制御機器(８０)に接続されたモータ(５７)によって動力を供給され、前記制御出口(５２)の下方に取り付けられており、前記制御出口(５２)からばらけた材料を受け入れ、かつ、前記材料を前記箱(６２)に分配するように構成されたコンベヤ(２５３)とを備え、
前記コンベヤ(２５３)が使用されていないときに、前記制御出口は、シール(２５５)によって機械的に密封されるように適合されたバルク材料分配装置(２０)。
【請求項１４】
前記密封筺体(４０)は、前記制御出口(５２)の作動の少なくとも一部の間に作動する撹拌機(５４)を備える、請求項１３に記載のバルク材料分配装置(２０)。
【請求項１５】
前記ばらけた材料は茶葉である、請求項１３に記載のバルク材料分配装置(２０)。
【請求項１６】
前記ユーザーインターフェース(８１)は準備される茶のオンス数を定める調整を可能とする、請求項１５に記載のバルク材料分配装置(２０)。
【請求項１７】
前記ユーザーインターフェース(８１)は、前記筺体(４０)内に収容される茶の種類を特定する使用者入力を受け取るように適合される、請求項１５に記載のバルク材料分配装置(２０)。
【請求項１８】
前記ユーザーインターフェース(８１)は、分配される茶の種類の使用者による選択を可能とし、かつ、２つの選択された茶の種類の各々と関連して準備される茶の選択された量のための２つの異なる重量を保存する、請求項１７に記載のバルク材料分配装置(２０)。
【請求項１９】
前記制御出口(５２)は、前記電子制御機器(８０)によって作動されないときに、前記コンテナを密閉して密封する、請求項１３に記載のバルク材料分配装置(２０)。
【請求項２０】
使用者による作動によって、ばらけた材料の所定の量を分配するように作動可能なバルク材料分配装置(２０)であって、
前記ばらけた材料が分配される容器の配置に適した容器位置を定め、前記容器位置の上方に配置された出口開口を備える外側筺体と、
前記ばらけた材料を保管する密封筺体(４０)と、
前記外側筺体に取り付けられ、ばらけた材料の第１の所定の量に関する使用入力を受け取ることができ、かつ、第１の使用者選択可能ボタンと関連して前記使用入力を保存することができるユーザーインターフェース(８１)と、
前記密封筺体(４０)の下方かつ前記出口開口の上方に配置された測定機構(５０)と
を備え、
前記測定機構(５０)は、
計量器(６４)に取り付けられた箱(６２)であって、前記箱(６２)に現在収容される前記材料の重量を前記電子制御機器(８０)に提供し、前記電子制御機器(８０)による作動によって、前記箱(６２)内に収容される前記材料を、前記出口開口を通じて放出する箱(６２)と、
前記筺体と流体連通し、前記電子制御機器(８０)によって作動されたときに、ばらけた材料を前記筺体から分配するように適合された制御出口(５２)とを備え、
前記制御出口が使用されていないときに、前記制御出口は、シール(５５)によって機械的に密封されるように適合され、
前記装置(２０)は、前記ユーザーインターフェース(８１)を介した前記第１のボタンの使用者の選択を受け取り、それに応じて前記第１の所定の量のばらけた材料を分配するように前記測定機構(５０)を作動させる電子制御機器(８０)とを備えるバルク材料分配装置(２０)。
【手続補正２】
【補正対象書類名】明細書
【補正対象項目名】００２４
【補正方法】変更
【補正の内容】
【００２４】
したがって、本発明の適切な範囲は、このような改良品のすべてとともに、図面で示されつつ明細書で説明されたものと同等のすべての関連品を包含するように、特許請求の範囲を最も広く解釈することによってのみ決定されるべきである。
以上説明したように、本発明は以下の形態を有する。
［形態１］
ばらけた材料の選択された量を分配するように作動可能なバルク材料分配装置であって、
前記ばらけた材料が分配される容器の配置に適した容器位置を定め、前記容器位置の上方に配置された出口開口を備える外側筺体と、
前記ばらけた材料を保管する密封筺体と、
前記外側筺体に取り付けられたユーザーインターフェースと、
前記ユーザーインターフェースを介して、分配されるばらけた材料の所望の量を特定する使用者選択肢を受け取る電子制御機器と、
前記密封筺体の下方かつ前記出口開口の上方に配置された測定機構と
を備え、
前記測定機構は、
計量器に取り付けられた箱であって、前記箱に現在収容される前記材料の重量を前記電子制御機器に提供し、前記電子制御機器による作動によって、前記箱内に収容される前記材料を、前記出口開口を通じて放出する箱と、
前記密封筺体の内部と密封流体連通する入口、および、前記箱内部へと材料を分配するように配置された出口を備える材料通路部と、
前記電子制御機器に接続されたモータによって動力を供給され、前記材料通路部内に配置されて前記箱に前記材料を制御可能に分配する回転可能ねじと、
前記回転可能ねじが作動していないときに前記材料通路部の前記出口を機械的に密封するように適合された密封蓋とを備えるバルク材料分配装置。
［形態２］
前記密封筺体は密閉されて密封される、形態１に記載のバルク材料分配装置。
［形態３］
前記材料通路部は屈曲形状を有する、形態１に記載のバルク材料分配装置。
［形態４］
前記電子制御機器および前記測定機構は、前記外側筺体の内部に配置される、形態２に記載のバルク材料分配装置。
［形態５］
前記密封筺体は、前記材料通路部の作動の少なくとも一部の間に作動する撹拌機を備える、形態４に記載のバルク材料分配装置。
［形態６］
前記ばらけた材料は茶葉である、形態１に記載のバルク材料分配装置。
［形態７］
前記ユーザーインターフェースは準備される茶の量を定める調整を可能とする、形態６に記載のバルク材料分配装置。
［形態８］
前記ユーザーインターフェースは、分配される茶の種類の使用者による選択を可能とし、かつ、２つの選択された茶の種類の各々と関連して準備される茶の選択された量のための２つの異なる重量を保存する、形態７に記載のバルク材料分配装置。
［形態９］
ばらけた茶の使用者により選択された量を、分配装置を用いて分配する方法であって、
前記分配装置に配置されたユーザーインターフェースを介して、茶の所望の量を特定する第１の使用者入力を受け取るステップと、
前記ユーザーインターフェースを介して、茶の前記所望の量を所定の量だけ上方または下方に調整する第２の使用者入力を受け取るステップと、
計量器に取り付けられた箱を有する計量器から重量を受け取るステップと、
前記計量器から受け取られた前記重量が前記所望の量以上となるまで、密封コンテナから前記箱へと茶を移動するステップと、
前記箱から前記分配装置にある出口開口を通じて前記茶を分配するステップとを含む方法。
［形態１０］
前記第２の使用者入力は、より濃いまたはより薄い茶を提供する、形態９に記載の方法。
［形態１１］
前記第２の使用者入力は、上方または下方へと望まれた茶の量を調整する、形態９に記載の方法。
［形態１２］
前記移動するステップの後に前記密封コンテナを再び密封するステップをさらに含む、形態９に記載の方法。
［形態１３］
ばらけた材料の選択された量を分配するように作動可能なバルク材料分配装置であって、
前記ばらけた材料が分配される容器の配置に適した容器位置を定め、前記容器位置の上方に配置された出口開口を備える外側筺体と、
前記ばらけた材料を保管する筺体と、
前記外側筺体に取り付けられたユーザーインターフェースと、
前記ユーザーインターフェースを介して、分配されるばらけた材料の所望の量を特定する使用者選択肢を受け取る電子制御機器と、
前記密封筺体の下方かつ前記出口開口の上方に配置された測定機構と
を備え、
前記測定機構は、
計量器に取り付けられた箱であって、前記箱に現在収容される前記材料の重量を前記電子制御機器に提供し、前記電子制御機器による作動によって、前記箱内に収容される前記材料を、前記出口開口を通じて放出する箱と、
前記筺体と流体連通し、前記電子制御機器によって作動されたときに、ばらけた材料を前記筺体から分配するように適合された制御出口と、
前記電子制御機器に接続されたモータによって動力を供給され、前記制御出口の下方に取り付けられており、前記制御出口からばらけた材料を受け入れ、かつ、前記材料を前記箱に分配するように構成されたコンベヤとを備えるバルク材料分配装置。
［形態１４］
前記密封筺体は、前記材料通路部の作動の少なくとも一部の間に作動する撹拌機を備える、形態１３に記載のバルク材料分配装置。
［形態１５］
前記ばらけた材料は茶葉である、形態１３に記載のバルク材料分配装置。
［形態１６］
前記ユーザーインターフェースは準備される茶のオンス数を定める調整を可能とする、形態１５に記載のバルク材料分配装置。
［形態１７］
前記ユーザーインターフェースは、前記筺体内に収容される茶の種類を特定する使用者入力を受け取るように適合される、形態１５に記載のバルク材料分配装置。
［形態１８］
前記ユーザーインターフェースは、分配される茶の種類の使用者による選択を可能とし、かつ、２つの選択された茶の種類の各々と関連して準備される茶の選択された量のための２つの異なる重量を保存する、形態１７に記載のバルク材料分配装置。
［形態１９］
前記制御出口は、前記電子制御機器によって作動されないときに、前記コンテナを密閉して密封する、形態１３に記載のバルク材料分配装置。
［形態２０］
使用者による作動によって、ばらけた材料の所定の量を分配するように作動可能なバルク材料分配装置であって、
前記ばらけた材料が分配される容器の配置に適した容器位置を定め、前記容器位置の上方に配置された出口開口を備える外側筺体と、
前記ばらけた材料を保管する筺体と、
前記外側筺体に取り付けられ、ばらけた材料の第１の所定の量に関する使用入力を受け取ることができ、かつ、第１の使用者選択可能ボタンと関連して前記使用入力を保存することができるユーザーインターフェースと、
前記密封筺体の下方かつ前記出口開口の上方に配置された測定機構と
を備え、
前記測定機構は、
計量器に取り付けられた箱であって、前記箱に現在収容される前記材料の重量を前記電子制御機器に提供し、前記電子制御機器による作動によって、前記箱内に収容される前記材料を、前記出口開口を通じて放出する箱と、
前記筺体と流体連通し、前記電子制御機器によって作動されたときに、ばらけた材料を前記筺体から分配するように適合された制御出口と、
前記ユーザーインターフェースを介した前記第１のボタンの使用者の選択を受け取り、それに応じて前記第１の所定の量のばらけた材料を分配するように前記測定機構を作動させる電子制御機器とを備えるバルク材料分配装置。